(57)【特許請求の範囲】
【請求項１】
電話帳を記憶する記憶部と、
親機と無線通信を行う第１無線部と、
第１制御部と、を備える子機と、
前記子機と無線通信を行う第２無線部と、
第２制御部と、を備える前記親機と、を備え、
前記第２制御部は、発信者番号を受信した場合、前記第２無線部を介して、発信者番号を前記子機に送信し、
前記第１制御部は、前記第１無線部を介して、発信者番号を受信した場合、前記記憶部に記憶されている電話帳から、発信者番号が含まれる電話帳を検索し、該当する電話帳がなければ、前記第１無線部を介して、不一致情報を前記親機に送信し、
前記第２制御部は、前記第２無線部を介して、不一致情報のみを受信した場合、発信者番号の端末からの着信を拒否することを特徴とする電話機。
【請求項２】
前記第１制御部は、前記第１無線部を介して、発信者番号を受信した場合、前記記憶部に記憶されている電話帳から、発信者番号が含まれる電話帳を検索し、該当する電話帳があれば、前記第１無線部を介して、電話帳の情報である一致情報を前記親機に送信し、
前記第２制御部は、前記第２無線部を介して、一致情報を受信した場合、発信者番号の端末からの着信を受け付けることを特徴とする請求項１に記載の電話機。
【請求項３】
前記子機は、複数であり、
前記第２制御部は、
発信者番号を受信した場合、前記第２無線部を介して、発信者番号を複数の前記子機に送信し、
前記第２制御部は、前記第２無線部を介して、不一致情報を受信した場合であっても、一致情報を受信すれば、発信者番号の端末からの着信を受け付けることを特徴とする請求項２に記載の電話機。
【請求項４】
前記第２制御部は、発信者番号の端末からの着信に応答し、警告メッセージを送信することにより、発信者番号の端末からの着信を拒否することを特徴とする請求項１〜３のいずれか１項に記載の電話機。
【請求項５】
前記第２制御部は、発信者番号の端末からの着信に応答し、警告メッセージを送信した後、電話を切ることにより、発信者番号の端末からの着信を拒否することを特徴とする請求項４に記載の電話機。
【請求項６】
前記第２制御部は、前記第２無線部を介して、不一致情報を受信した場合、専用の呼び出し音を鳴動することを特徴とする請求項１〜３のいずれか１項に記載の電話機。
【発明の詳細な説明】
【技術分野】
【０００１】
本発明は、電話機に関する。
【背景技術】
【０００２】
親機と子機とが無線で通信するコードレス電話機において、着信を拒否するガード機能を有するものがある（例えば、特許文献１参照。）。例えば、ガード機能を有する電話機は、親機に記憶されている電話帳に発信者番号に該当する電話帳がない発信者番号の端末からの着信であった場合、ガード機能を実行する。電話機は、発信者番号の端末からの着信に応答し、「申し訳ありませんが、こちらの都合により電話をお繋ぎできません。」という警告メッセージを送信する。その後、電話機は、電話を切る処理を行う。また、電話機は、着信音を、警告を促す専用ベルで鳴動する。
【０００３】
また、例えば、ガード機能を有する電話機は、「０８００」、「０１２０」で始まる着信課金番号からの着信であった場合、ガード機能を実行する。ここで、「０８００」、「０１２０」で始まる番号であっても、電話帳に記憶されていれば、電話機は、ガード機能を実行しない。
【先行技術文献】
【特許文献】
【０００４】
【特許文献１】特開平８−１９１４８０号公報
【発明の概要】
【発明が解決しようとする課題】
【０００５】
コードレス電話機において、親機の記憶部の容量を削減するため、親機が電話帳を記憶していない場合、着信を拒否することができない。
【０００６】
本発明の目的は、親機に電話帳が記憶されていないコードレス電話機において、着信拒否を可能とすることである。
【課題を解決するための手段】
【０００７】
第１の発明の電話機は、電話帳を記憶する記憶部と、親機と無線通信を行う第１無線部と、第１制御部と、を備える子機と、前記子機と無線通信を行う第２無線部と、第２制御部と、を備える前記親機と、を備え、前記第２制御部は、発信者番号を受信した場合、前記第２無線部を介して、発信者番号を前記子機に送信し、前記第１制御部は、前記第１無線部を介して、発信者番号を受信した場合、前記記憶部に記憶されている電話帳から、発信者番号が含まれる電話帳を検索し、該当する電話帳がなければ、前記第１無線部を介して、不一致情報を前記親機に送信し、前記第２制御部は、前記第２無線部を介して、不一致情報を受信した場合、発信者番号の端末からの着信を拒否することを特徴とする。
【０００８】
本発明では、子機の第１制御部は、第１無線部を介して、発信者番号を受信した場合、記憶部に記憶されている電話帳から、発信者番号が含まれる電話帳を検索し、該当する電話帳がなければ、不一致情報を親機に送信する。親機の第２制御部は、第２無線部を介して、不一致情報を受信した場合、発信者番号の端末からの着信を拒否する。これにより、親機に電話帳が記憶されていないコードレス電話機において、着信を拒否することができる。
【０００９】
第２の発明の電話機は、第１の発明の電話機において、前記第１制御部は、前記第１無線部を介して、発信者番号を受信した場合、前記記憶部に記憶されている電話帳から、発信者番号が含まれる電話帳を検索し、該当する電話帳があれば、前記第１無線部を介して、電話帳の情報である一致情報を前記親機に送信し、前記第２制御部は、前記第２無線部を介して、一致情報を受信した場合、発信者番号の端末からの着信を受け付けることを特徴とする。
【００１０】
本発明では、子機の第１制御部は、第１無線部を介して、発信者番号を受信した場合、記憶部に記憶されている電話帳から、発信者番号が含まれる電話帳を検索し、該当する電話帳があれば、第１無線部を介して、電話帳の情報である一致情報を親機に送信する。親機の第２制御部は、第２無線部を介して、一致情報を受信した場合、発信者番号の端末からの着信を受け付ける。これにより、通常の着信動作を行うことができる。
【００１１】
第３の発明の電話機は、第２の発明の電話機において、前記子機は、複数であり、前記第２制御部は、発信者番号を受信した場合、前記第２無線部を介して、発信者番号を複数の前記子機に送信し、前記第２制御部は、前記第２無線部を介して、不一致情報を受信した場合であっても、一致情報を受信すれば、発信者番号の端末からの着信を受け付けることを特徴とする。
【００１２】
本発明では、親機の第２制御部は、不一致情報を受信した場合であっても、一致情報を受信すれば、発信者番号の端末からの着信を受け付ける。これにより、複数の子機の電話帳のうちの１つに発信者番号が含まれていれば、通常の着信動作を行うことができる。
【００１３】
第４の発明の電話機は、第１〜第３の発明のいずれかの電話機において、前記第２制御部は、発信者番号の端末からの着信に応答し、警告メッセージを送信することにより、発信者番号の端末からの着信を拒否することを特徴とする。
【００１４】
本発明では、親機の第２制御部は、発信者番号の端末からの着信に応答し、警告メッセージを送信することにより、発信者番号の端末からの着信を拒否する。これにより、電話をかけている相手に電話がつながらない旨を報知することができる。
【００１５】
第５の発明の電話機は、第４の発明の電話機において、前記第２制御部は、発信者番号の端末からの着信に応答し、警告メッセージを送信した後、電話を切ることにより、発信者番号の端末からの着信を拒否することを特徴とする。
【００１６】
第６の発明の電話機は、第１〜第３の発明のいずれかの電話機において、前記第２制御部は、前記第２無線部を介して、不一致情報を受信した場合、専用の呼び出し音を鳴動することを特徴とする。
【００１７】
本発明では、第２制御部は、第２無線部を介して、不一致情報を受信した場合、専用の呼び出し音を鳴動する。これにより、ユーザーに、知らない相手（電話帳に登録されていない相手）からの着信であることを警告することができる。
【発明の効果】
【００１８】
本発明によれば、親機に電話帳が記憶されていないコードレス電話機において、着信を拒否することができる。
【図面の簡単な説明】
【００１９】
【図１】本発明の実施形態に係る電話機の構成を示すブロック図である。
【図２】外線を着信した場合の親機の処理動作を示すフローチャートである。
【図３】外線を着信した場合の子機の処理動作を示すフローチャートである。
【発明を実施するための形態】
【００２０】
以下、本発明の実施形態について説明する。図１は、本発明の実施形態に係る電話機の構成を示すブロック図である。図１に示すように、電話機１は、親機２と、子機３ａ、３ｂと、を備える。親機２は、主制御部２１と、ＲＡＭ（Random Access Memory）２２と、不揮発性メモリ２３と、公衆回線制御部２４と、無線部２５と、表示部２６と、音声再生部２７と、スピーカ２８と、を備える。
【００２１】
主制御部２１（第２制御部）は、不揮発性メモリ２３に記憶されている制御プログラムに従って、親機２を構成する各部を制御する。ＲＡＭ２２は、主制御部２１の主メモリとして機能する。不揮発性メモリ２３は、制御プログラム等を記憶している。公衆回線制御部２４は、公衆回線を制御して、電話を掛ける、電話を切る処理を行う。公衆回線制御部２４は、公衆回線に接続されている。主制御部２１は、公衆回線制御部２４を制御して、他の電話機と通話を行うことができる。
【００２２】
無線部２５（第２無線部）は、子機３と無線通信を行う。例えば、主制御部２１は、無線部２５を介して、受信した発信者番号を子機３に送信する。表示部２６は、発信者番号、電話帳に含まれる名前情報等を表示するＬＣＤである。
【００２３】
音声再生部２７は、音声信号をスピーカ２８に出力して、音声を再生する。例えば、音声再生部２７は、不揮発性メモリ２３に記憶されている着信メロディーをスピーカ２８に出力して、着信メロディーを再生する。スピーカ２８は、音声信号に従って、外部に音声を出力する。
【００２４】
子機３ａは、主制御部３１ａと、ＲＡＭ３２ａと、不揮発性メモリ３３ａと、表示部３４ａと、無線部３５ａと、を備える。子機３ｂは、主制御部３１ｂと、ＲＡＭ３２ｂと、不揮発性メモリ３３ｂと、表示部３４ｂと、無線部３５ｂと、を備える。子機３ａと子機３ｂとは、同一の構成である。ここでは、子機３ａについて説明し、子機３ｂについての説明は省略する。
【００２５】
主制御部３１ａ（第１制御部）は、不揮発性メモリ３３ａに記憶されている制御プログラムに従って、子機３ａを構成する各部を制御する。ＲＡＭ３２ａは、主制御部３１ａの主メモリとして機能する。不揮発性メモリ３３ａ（記憶部）は、制御プログラム等を記憶している。また、不揮発性メモリ３３ａは、電話帳を記憶している。電話帳には、電話番号、名前情報、着信メロディーの情報等が含まれている。表示部３４ａは、発信者番号、電話帳に含まれる名前情報等を表示するＬＣＤである。無線部３５ａ（第１無線部）は、親機２と無線通信を行う。例えば、主制御部３１ａは、無線部３５ａを介して、親機２から送信される発信者番号を受信する。
【００２６】
次に、外線を着信した場合の親機２と子機３との無線通信について説明する。子機３ａと子機３ｂとは同一の動作を行うため、「ａ」、「ｂ」の符号を省略して説明する。親機２の主制御部２１は、公衆回線制御部２４を介して、発信者番号を受信した場合、無線部２５を介して、発信者番号を子機３に送信する。子機３の主制御部３１は、無線部３５を介して、発信者番号を受信した場合、不揮発性メモリ３３に記憶されている電話帳から、発信者番号が含まれる電話帳を検索する。
【００２７】
主制御部３１は、該当する電話帳がなければ、該当する電話帳がない旨を示す不一致情報を、無線部３５を介して、親機２に送信する。主制御部３１は、該当する情報があれば、電話帳の情報である一致情報（例えば、名前情報等）を、無線部３５を介して、親機２に送信する。親機２の主制御部２１は、無線部２５を介して、不一致情報のみを受信した場合、発信者番号の端末からの着信を拒否する。すなわち、主制御部２１は、ガード機能を実行する。
【００２８】
具体的には、主制御部２１は、公衆回線制御部２４により、発信者番号の端末からの着信に応答し、警告メッセージを送信する。警告メッセージは、例えば、「申し訳ありませんが、こちらの都合により電話をお繋ぎできません。」というようなメッセージである。主制御部２１は、警告メッセージを送信した後、公衆回線制御部２４により、電話を切る処理を行う。また、主制御部２１は、着信音（呼び出し音）を、警告を促す専用ベル（不図示）で鳴動する。このようにして、主制御部２１は、ガード機能を実行する。
【００２９】
主制御部２１は、無線部２５を介して、一致情報を受信した場合、着信を受け付ける。すなわち、主制御部２１は、着信を拒否せず、通常の着信動作を行う。ここで、主制御部２１は、不一致情報を受信した場合でも、一致情報を受信していれば、着信を受け付ける。
【００３０】
以下、外線を着信した場合の親機２の処理動作を、図２に示すフローチャートに基づいて説明する。親機２の主制御部２１は、発信者番号を受信した場合、無線部２５を介して、発信者番号（電話番号）を全ての子機３に送信する（Ｓ１）。次に、主制御部２１は、受信時間タイマーをスタートさせる（Ｓ２）。次に、主制御部２１は、全ての圏内子機３から応答があったか否かを判断する（Ｓ３）。主制御部２１は、全ての圏内子機３から応答がないと判断した場合（Ｓ３：Ｎｏ）、受信時間タイマーが満了しているか否かを判断する（Ｓ４）。主制御部２１は、受信時間タイマーが満了していないと判断した場合（Ｓ４：Ｎｏ）、Ｓ３の処理を実行する。
【００３１】
主制御部２１は、受信時間タイマーが満了していると判断した場合（Ｓ４：Ｙｅｓ）、子機３からの一致情報が１つでもあったか否かを判断する（Ｓ５）。主制御部２１は、子機からの一致情報が１つでもあったと判断した場合（Ｓ５：Ｙｅｓ）、通常の着信動作を行う（Ｓ６）。すなわち、主制御部２１は、発信者番号の端末からの着信を受け付ける。主制御部２１は、子機３からの一致情報が１つもないと判断した場合は（Ｓ５：Ｎｏ）、ガード機能を実行する（Ｓ７）。すなわち、主制御部２１は、発信者番号の端末からの着信を拒否する。
【００３２】
次に、外線を着信した場合の子機３の処理動作を、図３に示すフローチャートに基づいて説明する。子機３ａと子機３ｂとは同一の動作を行うため、「ａ」、「ｂ」の符号を省略して説明する。子機３の主制御部３１は、無線部３５を介して、発信者番号を受信した場合（Ｓ１１）、不揮発性メモリ３３に記憶されている電話帳から、発信者番号（電話番号）が含まれる電話帳を検索する（Ｓ１２）。次に、主制御部３１は、発信者番号に該当する電話帳があるか否かを判断する（Ｓ１３）。主制御部３１は、発信者番号に該当する電話帳があると判断した場合（Ｓ１３：Ｙｅｓ）、無線部３５を介して、一致情報を親機２に送信する（Ｓ１４）。主制御部３１は、発信者番号に該当する電話帳がないと判断した場合（Ｓ１３：Ｎｏ）、無線部３５を介して、不一致情報を親機２に送信する（Ｓ１５）。
【００３３】
以上説明したように、本実施形態では、子機３の主制御部３１は、無線部３５を介して、発信者番号を受信した場合、不揮発性メモリ３３に記憶されている電話帳から、発信者番号が含まれる電話帳を検索し、該当する電話帳がなければ、不一致情報を親機２に送信する。親機２の主制御部２１は、無線部２５を介して、不一致情報を受信した場合、発信者番号の端末からの着信を拒否する。これにより、親機２に電話帳が記憶されていないコードレス電話機１において、着信を拒否することができる。
【００３４】
また、本実施形態では、子機３の主制御部３１は、無線部３５を介して、発信者番号を受信した場合、不揮発性メモリ３３に記憶されている電話帳から、発信者番号が含まれる電話帳を検索し、該当する電話帳があれば、無線部３５を介して、電話帳の情報である一致情報を親機２に送信する。親機２の主制御部２１は、無線部２５を介して、一致情報を受信した場合、発信者番号の端末からの着信を受け付ける。これにより、通常の着信動作を行うことができる。
【００３５】
また、本実施形態では、親機２の主制御部２１は、不一致情報を受信した場合であっても、一致情報を受信すれば、発信者番号の端末からの着信を受け付ける。これにより、複数の子機３の電話帳のうちの１つに発信者番号が含まれていれば、通常の着信動作を行うことができる。
【００３６】
また、本実施形態では、親機２の主制御部２１は、発信者番号の端末からの着信に応答し、警告メッセージを送信することにより、発信者番号の端末からの着信を拒否する。これにより、電話をかけている相手に電話がつながらない旨を報知することができる。
【００３７】
また、本実施形態では、親機２の主制御部２１は、無線部２５を介して、不一致情報を受信した場合、専用の呼び出し音を鳴動する。これにより、ユーザーに、知らない相手（電話帳に登録されていない相手）からの着信であることを警告することができる。
【００３８】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３９】
上述の実施形態では、子機３は、複数台（２台）であった。これに限らず、１台であってもよい。また、子機３は、３台以上であってもよい。なお、子機３が１台である場合、親機２は、不一致情報、一致情報のいずれかしか受信しないため、親機２の主制御部２１は、無線部２５を介して、不一致情報を受信した場合、着信を拒否する。また、親機２の主制御部２１は、無線部２５を介して、一致情報を受信した場合、着信を受け付ける。
【産業上の利用可能性】
【００４０】
本発明は、電話機に好適に採用され得る。
【符号の説明】
【００４１】
１  電話機
２  親機
２１  主制御部（第２制御部）
２４  公衆回線制御部
２５  無線部（第２無線部）
３ａ、３ｂ  子機
３１ａ、３１ｂ  主制御部（第１制御部）
３３ａ、３３ｂ  不揮発性メモリ（記憶部）
３４ａ、３４ｂ  表示部
３５ａ、３５ｂ  無線部（第１無線部）
【図１】
0006632457.tif 000002
【図２】
0006632457.tif 000003
【図３】
0006632457.tif 000004